(57)【要約】【課題】オゾンガスを拡散することによって、効果的に虫の侵入を阻止することができる虫侵入阻止システムを提供する。【解決手段】虫侵入阻止システム１８は、開口１４の縁部に配置され、開口面に沿ってエアを送風する空気送風機２０と、オゾンガスを発生するオゾン発生器３４と、空気送風機２０のエア吹出口近傍に設けられてオゾン発生器で発生されるオゾンガスを放出する放出口３０と、を備えて、放出口３０から放出されるオゾンガスを空気送風機２０から送風されるエアに乗せて開口１４の開口面に亘りオゾンガスの拡散層を形成し、該オゾンガスの拡散層に対する虫の忌避効果により開口１４を通る虫の侵入を阻止する。【選択図】図４
2009000049.tif 000002
【特許請求の範囲】
【請求項１】
開口を通して外部からの虫の侵入を阻止する虫侵入阻止システムであって、
開口の縁部に配置され、開口面に沿ってエアを送風する空気送風機と、
オゾンガスを発生するオゾン発生器と、
前記空気送風機のエア吹出口近傍に設けられてオゾン発生器で発生されたオゾンガスを放出する放出口と、
を備えて、放出口から放出されるオゾンガスを前記空気送風機から送風されるエアに乗せて開口の開口面に亘りオゾンガスの拡散層を形成することを特徴とする虫侵入阻止システム。
【請求項２】
さらに、水を圧縮エアと共に前記開口の開口面に沿って噴霧する噴霧ノズルを備え、開口の開口面に亘り前記オゾンガスの拡散層とほぼ平行に霧状水膜を形成することを特徴とする請求項１記載の虫侵入阻止システム。
【請求項３】
前記霧状水膜を前記オゾンガスの拡散層の外部側に形成することを特徴とする請求項２記載の虫侵入阻止システム。
【発明の詳細な説明】
【技術分野】
【０００１】
本発明は、オゾンガスを利用して、開口を通して外部からの虫の侵入を阻止する虫侵入阻止システムに関する。
【背景技術】
【０００２】
従来、この種のオゾンガスを利用した虫の侵入を阻止するシステムとしては、特許文献１に記載されたものが知られている。このシステムでは、オゾン器から配管したパイプを分岐して、ドア及び窓枠部に設置し、パイプに設けた複数の吹出穴から出るオゾンエアをドア及び窓ガラスの屋外に面する箇所に吹き付けて、害虫の防除効果を高めるようにしたものである。
【０００３】
【特許文献１】特開平２−３０３４４０号公報
【発明の開示】
【発明が解決しようとする課題】
【０００４】
しかしながら、オゾン器で発生されるオゾンガスは単位時間あたり少量であり、それをさらに分岐して複数の吹出穴から放出させても、オゾンガスを効果的に拡散することができない。害虫は、オゾンガスがほとんど存在しないドアまたは窓枠部の部分を通って侵入することができるため、特許文献１の構成では実用的な害虫の防除効果を期待することはできない、という問題がある。
【０００５】
本発明はかかる課題に鑑みなされたもので、オゾンガスを拡散することによって、効果的に虫の侵入を阻止することができる虫侵入阻止システムを提供することをその目的とする。
【課題を解決するための手段】
【０００６】
上記目的を達成するために、本発明の請求項１記載の発明は、開口を通して外部からの虫の侵入を阻止する虫侵入阻止システムであって、
開口の縁部に配置され、開口面に沿ってエアを送風する空気送風機と、
オゾンガスを発生するオゾン発生器と、
前記空気送風機のエア吹出口近傍に設けられてオゾン発生器で発生されたオゾンガスを放出する放出口と、
を備えて、放出口から放出されるオゾンガスを前記空気送風機から送風されるエアに乗せて開口の開口面に亘りオゾンガスの拡散層を形成することを特徴とする。
【０００７】
請求項２記載の発明は、請求項１記載の虫侵入阻止システムが、さらに、水を圧縮エアと共に前記開口の開口面に沿って噴霧する噴霧ノズルを備え、開口の開口面に亘り前記オゾンガスの拡散層とほぼ平行に霧状水膜を形成することを特徴とする。
【０００８】
請求項３記載の発明は、請求項２記載の前記霧状水膜が前記オゾンガスの拡散層の外部側に形成されることを特徴とする。
【発明の効果】
【０００９】
本発明によれば、空気送風機によって送風されるエアに乗せてオゾンガスを開口に拡散させるために、開口の開口面に亘りオゾンガスの拡散層を形成することができる。オゾンガスは非常に分解しやすく、酸素になりやすいが、エアに乗せることで、オゾンガスのまま開口の開口面に亘り最低限の濃度以上の濃度を持つオゾンガスの拡散層を形成させることができる。このオゾンガスの拡散層によって虫がその開口面を抜けることを忌避するために、虫の侵入を阻止することができる。
【００１０】
さらに、本発明によれば、オゾンガスの拡散層とほぼ平行に霧状水膜を形成することにより、飛翔する虫に対して忌避効果を高めることができる。
【００１１】
また、霧状水膜をオゾンガスの拡散層の外部側に形成することで、室内側に霧状水膜が浸入して濡れることを防ぐことができる。
【発明を実施するための最良の形態】
【００１２】
以下、図面を用いて本発明の実施の形態を説明する。図１は、本発明による虫侵入阻止システムを表す全体斜視図、図２は図１の２−２線に沿って見た断面図である。
【００１３】
図において、この虫侵入阻止システムが対象とする開口は、人や物が出入りする出入口や窓とすることができるが、この例では、出入口１０に室内と室外とを区切るシャッタードア１２が設けられ、出入口１０の上半分に、出入口１０の上辺部から垂下される複数のルーバーによる固体カーテン１３が配置されており、出入口１０の下半分が虫の侵入を阻止したい開口１４となっている。但し、固定カーテン１３は必ずしも必要ではなく、出入口１０全体を虫の侵入を阻止したい開口１４とすることも可能である。
【００１４】
開口１４に設定された虫侵入阻止システム１８は、出入口１０から室内側に入った出入口１０近傍の室内の床面に設置された空気送風機２０を備える。空気送風機２０は、開口１４の両側の縦側縁部において、対向してそれぞれ配置される。各空気送風機２０は、図３に示すように、その内部に複数のファンモータ２２が上下方向に並んで設けられ、反開口側に吸込口２４が形成され、開口側に吹出口２６が形成される。吸込口２４及び吹出口２６は、それぞれ開口１４の縦側縁部の上下方向の長さとほぼ同じ長さで上下方向に延びており、吹出口２６から送風されるエアは、図４に示すように、開口１４の開口面に対してほぼ平行な方向に流れるようになっている。互いに対向する空気送風機２０から互いに対向する方向に向かってエアを送風することで、開口面に亘りエアカーテンが形成される。尚、この例では、開口１４の広い横幅に対応して両側の縦側縁部に空気送風機２０を設けているが、開口１４の横幅が狭い場合には、１つの側の縦側縁部にのみ空気送風機２０を設けることでもよい。また、この例では、空気送風機２０は床面に設置されているが、縦側縁部に直接固定的に取り付けることも可能である。
【００１５】
この空気送風機２０の開口側の面には、吹出口２６と並んで複数の放出口３０が上下方向に間隔をおいて設けられる。各放出口３０は、配管３２を介してオゾンを発生するオゾン発生器３４に連結される。
【００１６】
また、虫侵入阻止システム１８は、出入口１０から室外側に出た出入口１０近傍に配置された複数の噴霧ノズル４０を備える。噴霧ノズル４０は、開口１４の両側の縦側縁部で、互いに対向し、かつ各縦側縁部において上下方向に間隔をおいて配置される。各噴霧ノズル４０は、図５に示すように、配管４２を介して給水源４４に連結されると共に、配管４６を介してエアタンク４８に連結される。エアタンク４８にはエアコンプレッサ４９で生成された圧縮エアが貯留されている。また、配管４２、４６の途中には、それぞれ配管路の連通／非連通を切り換える給水電磁弁５２、エア電磁弁５４がそれぞれ設けられる。
【００１７】
給水源４４から配管４２を通り供給される水は、エアタンク４８から配管４６を通り供給される圧縮エアと噴霧ノズル４０内で混合されて、噴霧ノズル４０から噴霧される。噴霧ノズル４０から噴霧される水は、開口１４の開口面に対してほぼ平行な方向に流れるようになっている。対向する噴霧ノズル４０から対向する方向に向かって水を噴霧することで、開口面に亘り霧状水膜が形成される。尚、この例では、開口１４の広い横幅に対応して両側の縦側縁部に噴霧ノズル４０を設けているが、開口１４の横幅が狭い場合には、１つの側の縦側縁部にのみ噴霧ノズル４０を設けることでもよい。
【００１８】
また、虫侵入阻止システム１８は、図４に示すように制御盤５０を備える。制御盤５０には、シャッタードア１２の開閉を検出するセンサ５６からの信号が入力されて、該信号に基づき、空気送風機２０及びオゾン発生器３４のＯＮ／ＯＦＦ制御と、給水電磁弁５２及びエア電磁弁５４の開／閉制御とを行う制御信号が各装置に出力される。
【００１９】
以上のように構成される虫侵入阻止システム１８においては、シャッタードア１２が開いたことがセンサ５６より検出されると、制御盤５０からの信号によりオゾン発生器３４を作動させて、オゾンガスを発生させる。同時に空気送風機２０を作動させて空気送風機２０の吹出口２６からエアを送風するので、放出口３０から排出されるオゾンガスは空気送風機２０からのエアに乗って、開口１４の開口面に沿って拡散され、拡散層を形成する。空気送風機２０のエアに乗せることで、放出口３０からのオゾンガスが少量であってもエアによって拡散させることができ、且つ、反応速度の早いオゾンガスを迅速に開口１４の中央部分までオゾンガスの状態で運んで開口１４の中央部分にも十分なオゾンガスを行き渡らせることができる。こうして、開口１４の開口面に亘り最低限の濃度以上の濃度を持つオゾンガスの拡散層を形成することができる。
【００２０】
オゾンガスには虫の忌避効果があるため、虫の侵入を阻止することができる。最低限のオゾンガス濃度としては、開口１４の中央部分で０．２〜０．５ｐｐｍ程度とするとよい。０．２〜０．５ｐｐｍ程度のオゾンガス濃度は人間が異臭を感じる濃度である。しかしながら、人が開口１４を出入りする場合でもその通過に要する時間は短時間であるので、許容濃度値（例えば、日本産業衛生学会の許容濃度値は、８時間の労働環境で０．１ｐｐｍ）よりも高いものとすることも可能である。
【００２１】
また、好ましくは、オゾンガスの拡散層の形成と同時に、制御盤５０からの信号により給水電磁弁５２及びエア電磁弁５４を開き、噴霧ノズル４０から水を噴霧して、前記オゾンガスの拡散層と平行に且つその外部側に霧状水膜を形成するとよい。飛翔する虫は、水を忌避するので、この霧状水膜とオゾンガス拡散層との２層のバリアによって、効果的に虫の開口１４への出入りを阻止することができる。水膜は、霧状のものとすることによって、人が開口１４を出入りする場合でもその通過に要する時間は短時間であるので、ほとんど濡れることはない。
【００２２】
オゾンガス拡散層及び霧状水膜は、開口１４の開口面に完全に平行でなくとも、多少の角度を持たせることも可能であり、この例のように、開口１４の両側の縦側縁部に空気送風機２０を備えた場合には、各空気送風機２０からやや室外側に向けてエアを送風することで、中央で室外側にやや膨らんだオゾンガス拡散層を形成することも可能である。霧状水膜についても同様である。
【００２３】
シャッタードア１２が閉じたことがセンサ５６により検出されると、オゾン発生器３４、空気送風機２０の作動を停止し、給水電磁弁５２及びエア電磁弁５４を閉じる。任意には、オゾン発生器３４の作動を間歇作動として、シャッタードア１２を閉じた後の室内でオゾンガスを放出することも可能である。オゾン発生器３４を間歇作動とすることにより、室内のオゾンガス濃度が許容濃度値以下となるように設定するとよい。この場合、空気送風機も同期させて間歇作動とするか、または空気送風機は連続作動とすることも可能である。
【００２４】
オゾンガスには、前記虫の忌避効果の他に、殺菌効果、脱臭効果等が期待できるので、室内にかかる効果をもたらすことができる。また、オゾンガスは、反応速度が速く、自己分解して酸素になるため、室内で二次公害を招くことはない。
【図面の簡単な説明】
【００２５】
【図１】本発明による虫侵入阻止システムの全体斜視図である。
【図２】図１の２−２線に沿って見た断面図である。
【図３】空気送風機の斜視図である。
【図４】本発明による虫侵入阻止システムの室内側から見た図である。
【図５】本発明による虫侵入阻止システムの室外側から見た一部省略図である。
【符号の説明】
【００２６】
１４  開口
１８  虫侵入阻止システム
２０  空気送風機
２６  エア吹出口
３０  放出口
３４  オゾン発生器
４０  噴霧ノズル
【図１】
2009000049.tif 000003
【図２】
2009000049.tif 000004
【図３】
2009000049.tif 000005
【図４】
2009000049.tif 000006
【図５】
2009000049.tif 000007